(57)【要約】本発明は、媒体区画内に固着された２つの小さい布内張りを有する磁気記録ディスクを提供する。一方の内張りがリフターを覆い、他方が隆起した構造を覆う。リフターおよび隆起した構造は、ディスクが回転するときに、内張りをディスクの可撓性面と接触させ、こうしてディスクを清浄にする。媒体区画内の１つまたは複数の突出部が、ディスクによる媒体区画の表面の磨耗を阻止する。
2004508651.tif 000002
【特許請求の範囲】
【請求項１】
可撓性面を含む磁気記録ディスクと、
前記磁気記録ディスクを収容するために媒体区画を画定するケースと、
前記ケースの前記媒体区画内に取り付けられた布内張りと、を備えるディスケットであって、
前記布内張りの面積は、前記磁気記録ディスクの前記可撓性面の面積の５０％よりも小さいディスケット。
【請求項２】
前記ケースが第１ケースであり、前記布内張りが第１布内張りであり、
前記第１ケースと協同して前記磁気記録ディスクを収容するように構成された内面を含む第２ケースと、
前記第２ケースの前記内面に取り付けられた第２布内張りと、をさらに備える物品であって、
前記第２布内張りの面積は、前記磁気記録ディスクの前記可撓性面の面積の５０％よりも小さい、請求項１に記載のディスケット。
【請求項３】
前記布内張りの面積は、前記磁気記録ディスクの前記可撓性面の面積の２５％よりも小さい、請求項１に記載のディスケット。
【請求項４】
前記布内張りの面積は、前記磁気記録ディスクの前記可撓性面の面積の５〜１５％である、請求項１に記載のディスケット。
【請求項５】
前記磁気記録ディスクが、最も内側のデータ記憶トラックと、最も外側のデータ記憶トラックとを含み、前記内張りが、前記最も内側のデータ記憶トラックおよび前記最も外側のデータ記憶トラックを横切って延在するように寸法を定められる、請求項１に記載のディスケット。
【請求項６】
前記ケースが前記媒体区画内に突出部を含み、前記磁気記録ディスクが、最も内側のデータ記憶トラックと、最も外側のデータ記憶トラックと、を含み、前記突出部は、前記最も内側のデータ記憶トラックの半径方向の内側、および前記最も外側のデータ記憶トラックの半径方向の外側の少なくとも１つに設置される、請求項１に記載のディスケット。
【請求項７】
前記内張りが円弧形状をしている、請求項１に記載のディスケット。
【発明の詳細な説明】
【０００１】
技術分野
この発明は回転磁気記憶媒体、より詳細には磁気記録ディスケットに関する。
【０００２】
背景
フロッピー磁気記録ディスケットは、多くのコンピュータシステムにおいて一般的な記憶媒体である。ディスケット内の記録ディスクは、ポリエステル樹脂の可撓性シート、または磁気層を各面に有する類似物であり、そこに情報が磁気読取り書込みヘッドによって記録される。ディスクは、可撓性シートの中心開口内に取り付けられたハブを含む。フロッピーディスクは多くのサイズで製造され続けられているが、最も耐久性のある、かつ普及しているサイズの１つは、幅が約８．９ｃｍであるディスケットカートリッジ用の寸法に作られたディスクである。一般に、ディスクはおおむね剛性のケーシングに収容されて、カバーケースおよびボトムケースを含むディスケットカートリッジを形成し、これらのケースはまとめてハウジングと呼ばれることがある。通常、可動シャッターがディスケットに含まれ、媒体アクセス開口を覆うために定置される。シャッターは普通は閉位置に偏倚されて、ディスクが風雨に晒されないようにする。シャッターは、読取り書込みヘッドによるディスクへのアクセスを可能にするために開かれ得る。ディスクはカートリッジ内部の媒体区画内で回転する。特に、ドライブ内のスピンドルモーターがハブに係合して、ディスクを回転させる。
【０００３】
カートリッジは一般に、２つの布内張りを、カートリッジケースの各内面に１つづつ含む。内張りはディスクの記録面と接触し続けて、ディスクが回転している間、記録面のくずを除去する。ボトムケースに隣接する内張りは、ボトムケースの内面に取り付けられたリフターによって、記録面の幅全体に押し付けられ続ける。リフターは布内張りを上方へ支持する。通常は、隆起構造がカバーケースの内面に、ボトムケースのリフターの位置の上に、しかしそれから少しずれて設けられる。リフターおよび隆起構造は、布内張りを押し付けてディスクと接触させるのに役立ち、それによって、ディスクがカートリッジ内で回転する場合に、ディスクのクリーニングを容易にする。
【０００４】
概要
多くの内張りはほぼディスクのサイズであり、半径方向の幅はディスクの可撓性面の幅に大体等しい。この種の内張りは媒体区画の大部分を覆う。その結果、大概の内張りはディスクの媒体記録領域の大部分を覆う。本発明は、内張りに必要な材料を削減することによって、より安価で、かつ無駄の少ない、新しい内張りの形状構成を提供する。
【０００５】
一実施形態において、本発明は、可撓性面を有する磁気記録ディスク、媒体区画を画定するハウジング、およびハウジングの内面に取り付けられた布内張りを含む製品を提供する。いくつかの実施形態において、布内張りの面積は、磁気記録ディスクの可撓性面の面積の５０％よりも小さいことがある。内張りは円弧状であることがある。１つの内張りがハウジングの内面に取り付けられたリフターを覆うことがあり、もう１つのものがハウジングのもう１つの内面にも取り付けられた隆起構造を覆うことがある。特に、第１および第２の内張りが、ハウジングを共に形成する、ボトムおよびカバーケースの内面に取り付けられることがある。バンプ、リブ、またはリッジのような、媒体区画における突出部がディスクを媒体区画の表面から離して、ディスクによる表面の磨耗を阻止し、それによって媒体の耐久性を維持する。
【０００６】
別の実施形態において、本発明は、磁気記録ディスクを収容するために媒体区画を画定するハウジング、およびケースの媒体区画に取り付けられた布内張りを含む製品を提供する。布内張りの面積は媒体区画の面積の５０％よりも小さいことがある。
【０００７】
さらに別の実施形態において、本発明は、磁気記録ディスクの表面を清浄にする布内張りを提供する。内張りの外縁が磁気記録ディスクの外周とほぼ同じ曲率でへこむように湾曲され、布内張りの面積は、磁気記録ディスクの可撓性面の面積の５０％より小さいことがある。内張りの内縁が外縁とほぼ同じ曲率でへこむように湾曲される。
【０００８】
別の態様において、本発明は、一片の材料から布内張りを製造する効果的な方法を提供する。この方法は内張りの外縁をその片から切り取るステップを伴って、外縁は磁気記録ディスクの外周とほぼ同じ曲率でへこむように湾曲される。この方法は内張りの内縁をその片から切り取るステップを含んで、内縁は外縁とほぼ同じ曲率でへこむように湾曲される。
【０００９】
別の実施形態において、本発明は、磁気記録ディスクを収容するために媒体区画を画定するケースを含む製品を提供する。ケースは媒体区画内に突出部を含む。突出部はディスクにりる媒体区画の表面の磨耗を阻止する。
【００１０】
さらなる実施形態において、本発明は媒体区画の内面と接触し続ける方法を提供する。この方法は、媒体区画を含むカートリッジを用意するステップと、媒体区画の内面から内側へ延在する突出部を含むステップとを伴う。突出部が磁気記録ディスクと接触する場合に、突出部は磁気記録ディスクが媒体区画の内面と接触する状態を保つ。
【００１１】
詳細な説明
図１が、組立斜視図において磁気記録ディスクカートリッジ１０を示す。カートリッジ１０はカバーケース１２およびボトムケース１４から成り、これらはフロッピー磁気記録ディスク１６を収容する。カバーケース１２の媒体アクセス開口２８およびボトムケース１４の媒体アクセス開口３２が、読取り書込みヘッドによるディスク１６へのアクセスを可能にする。図１の例において、ディスク１６は、表面積が約５１．６ｃｍ２である可撓性面２４を含むことがある。この表面積は、３．５フォームファクタ・フロッピーディスケットで通常用いられるディスクのそれに合致するが、本発明の限界として解釈されるべきではない。ディスク１６はまた剛性ハブ３０も含む。
【００１２】
カートリッジケース１２および１４は、より詳細に下に説明されるようにそれらの内面にそれぞれに固着された、布内張り１８および２０を各々有する。図１に示されるように、各布内張り１８および２０は、円弧状または曲がった方形の形状をしており、彎曲した外縁および彎曲した内縁は、ディスク１６の外縁２６とほぼ同じ曲率を各々有する。
【００１３】
ボトムケース１４の内面４０に固着されたか、またはそれと一体に形成されたリフター２２が、布内張り２０に上向きの圧力を加える。ボトムケース１４、ならびにカバーケース１２は、耐衝撃性ポリスチレンまたはＡＢＳのようなプラスチックから形成されることがある。図１において、リフター２２は、例えば射出成型によって、ボトムケース１４の内面と一体に形成され得る複数の突起を含む。ディスク１６がカートリッジ１０内で回転するときに、リフター２２は内張り２０をディスクにこすりつけ、それによってディスクが回転するときにディスクを清浄にする。
【００１４】
ボトムケース１４は図２により詳細に示され、これは本発明の一実施形態を図示する。図２はボトムケース１４によって画定された媒体区画４０の内面を示す。ボトムケース１４は、媒体区画の内側周辺を画定する円形リブ４２と、媒体区画の外側周辺を画定する円形リブ４４とを含むことがある。媒体区画４０の表面の面積がディスク１６の可撓性面２４の面積よりも少し大きいので、ディスクが媒体区画内で回転することを可能にする。磁気記録ディスク１６が、カートリッジ１０内に設置された場合に、外側周辺４４内で回転する。ディスク１６の可撓性面２４全体は通常記録材料で塗布されるが、ディスク１６はデータトラックをその可撓性面全体に沿って含まない。図２は、最も内側のデータ記憶トラック４６および最も外側のデータ記憶トラック４８のおおよその直径を示す。リフター２２は、隆起したリブおよびいくつかの小さい隆起したプラットホームを含む、複数の突出部として示される。図２に示されるリフター２２は例示であり、本発明は、他のサイズ、位置、または形状構成のリフターで以って用いられることがある。布内張り２０の外観が図２に示されて、布内張り２０はリフター２２およびリフター２２周辺の領域を覆うことを図示する。内張り２０は円弧形状であり、下により詳細に説明されるだろう。
【００１５】
内張り２０はボトムケース１４に固着される。通常、内張り２０は図２に示されるように配置され、内張り２０は加熱バーを内張りに作用させることによって固着する。加熱バーからの熱が布内張り２０を通過し、プラスチックのボトムケース１４の小さい領域を溶かす。プラスチックが再び硬化するときに、プラスチックは布に粘着する。内張り２０は通常、内張りの周辺の近くのいくつかの点でボトムケース１４に固着される。
【００１６】
内面４０に、内側リブ４２と最も内側のデータトラック４６との間に、複数の小さい突出部またはバンプ５０がある。また、内面４０に、外側リブ４４と最も外側のデータトラック４８との間に、第２の複数のバンプ５２がある。バンプ５０、５２の目的は、ディスク媒体１６をボトムケース１４の表面４０の上に上げることである。内張り２０はリフター２２周辺の表面４０とディスク１６との間に置かれ、内側リブ４２と外側リブ４４との間の媒体区画を通じて表面とディスクとの間には置かれない。
【００１７】
バンプなしに、ディスク１６よりもかなり小さい内張り２０で以って、ディスクが回転するときに、ディスクは表面と接触する傾向がある。長期にわたると、ディスク１６は表面４０を摩削する。摩削がディスクに損傷を起こし、媒体の耐用年数を短縮する。さらに、摩削は外縁２６を鋭くさせ、区画の表面を切り崩し始めさせ、かくして区画内に破片を生じる。バンプ５０、５２はディスク１６を押して表面４０から離し、かくして摩削を阻止し、媒体の耐久性を維持する。バンプ５０、５２は最も内側および最も外側のトラック４６、４８の外側に設置され、従って情報を格納するために使用される可撓性面２４の部分でディスク１６と接触しない。
【００１８】
バンプ５０、５２はボトムケース１４の成形プロセス中に形成される。図２に示されるバンプ５０、５２の数は例示であり、より多いまたはより少ないバンプがあり得る。図３が典型的なバンプ５０、５２の断面図を示す。表面６４が大体球面であることがある。典型的な実施形態において、バンプの高さ６２は約０．０１０２ｃｍであり、隆起した直径は約０．０７６ｃｍである。一体の球面状バンプの形をした突出部が、ディスク媒体１６をボトムケース１４の表面４０の上に上げるために有効な解決策を表わすが、異なる形状および寸法の突出部もまた使用されることがある。例えば、突出部は隆起したプラットホームの形、またはリッジの形であることがある。さらに、突出部はケースと一体に形成されなくて、ボトムケース１４の内面４０に固着されることがある。
【００１９】
図４がカバーケース１２の内面７０を示す。カバーケース１２は、ディスク１６のハブ３０と協同して、ディスクをカートリッジ１０内で中心に位置するように保つリッジ７２を含むことがある。カバーケース１２もまた内側リブ８０と、外側リブ７４とを含むことがある。ボトムケース１４と同様に、カバーケース１２はＡＢＳプラスチックから形成されることがある。隆起した構造７６がカバーケース１２に形成され、２つのケースがいっしょに組立てられる場合に、隆起した構造７６はボトムケース１４の内面４０のリフター２２の真上にないように、内面７０に定置される。
【００２０】
図４に示されるように、隆起した構造７６は内面７０の上を延在する接面リッジのアレイを含むことがあり、例えば射出成形によって、カバーケース１２と一体に形成され得る。図４に示される隆起した構造７６は例示であり、本発明は、他のサイズ、位置、または形状構成の隆起した構造で以って用いられることがある。隆起した構造７６は、リフター２２と組み合わせて、回転中にディスク１６をそらすように作用して、過大なトルクなしに内張り１８および２０によるディスクの効果的な清浄を行う。布内張り１８の外観が図４に示され、布内張り１８は隆起した構造７６および隆起した構造７６の周りの領域を覆うことを図示する。内張り１８は、ボトムケースの内張り２０と同様に、円弧状であることがある。内張り１８は、内張り２０がボトムケース１４に固着されるのと同様な形で、カバーケース１２に固着されることがあり、通常、内張りの周辺近くのいくつかの点で固着される。
【００２１】
カバーケース１２の内面７０は、複数の小さい突出部、またはバンプ７８を外側リブ７４と最も外側のトラック４８との間に含むことがある。バンプ７８は図２に示されるバンプ５２を補完する。バンプ７８はバンプ５２とほぼ同じ寸法であることがあり、成形によって同様に形成されることがある。バンプ７８の目的は、ディスク媒体１６をカバーケース１２の内面７０から離れるように押しやり、ディスクが回転するときに、ディスクが表面を摩削するのを阻止することである。バンプ７８は情報を格納するために使用される部分でディスク１６と接触しないことが好ましい。
【００２２】
図４の例に示されるように、カバーケース１２は、ディスク１６の内側部分を下げる、図２に示されるバンプ５０を補完する複数の突出部を含まない。代わりに、内側リブ８０がディスク媒体１６の内側部分を押してカバーケース１２の表面７０から離す。図４は突出部がバンプ以外の形であることがあるということを示す。内側リブ８０は、リッジまたはバンプのような、他の形の突出部によって取って代わられることもあり得る。
【００２３】
カートリッジ１０が組立てられる場合に、部品は次のように協同する。ディスク１６がリフター２２の上を回転するときに、ディスク媒体のリフター２２に面する側が、布内張り２０によって清浄にされる。そしてディスク媒体１６の同じ部分が隆起した構造７６の下を動くときに、媒体の隆起した構造７６に面する側が、布内張り１８によって清浄にされる。突出部５０、５２、７８、および８０は媒体１８を押してカートリッジ１０の内面４０、７０から離し、ディスクが表面を摩削するのを阻止する。
【００２４】
内張りはどんなサイズでもありうる。本発明の利点は、内張りは媒体区画の表面４０、７０の大部分を覆う必要がないことである。内張りの表面積が、例えば、媒体区画の面積の５０％以下、またはディスク１６の可撓性面２４の表面積の５０％以下であることがある。図１，２、および４に示される実施形態において、各内張り１８および２０の表面積は可撓性面２４の表面積の１５％より小さいので、内張りを形成するために使用される材料の量の著しい削減、および関連するコスト削減を生じる。
【００２５】
内張り１８および２０は、リフター２２および隆起した構造７６をそれぞれに、ならびにリフターおよび隆起した構造の周りの領域を覆うために、どんな形状でもありうる。通常、内張りの表面積が、媒体区画の面積の５％以上、またはディスク１６の可撓性面２４の表面積の５％以上であるだろう。リフターまたは隆起した構造は、例えば、正方形、長方形、円形、楕円形、台形、または先端を切った楔形であることがある。同様に、内張りは、例えば、正方形、長方形、円形、楕円形、台形、または先端を切った楔形であることがあり、またはそれらが覆う、リフターまたは隆起した構造に応じて、どんな形状でも呈することがある。しかしながら、図１，２、および４に示される、円弧状または曲がった長方形がいくつかの利点を呈する。第１に、円弧形状はリフターおよび隆起した構造に対するカバレッジを与える。第２に、円弧形状は、内張り１８および２０が最も内側のデータ記憶トラック４６と最も外側のデータ記憶トラック４８との間のディスク１６を清浄にすることを可能にする。第３に、円弧形状の内張りは、布をほとんど無駄にせずに大量生産され得る。
【００２６】
図５が、内張り１８および２０のような円弧状内張りの無駄の少ない大量生産を示す。図５は、布内張りを製造するための一片の材料９０を示す。図５において、細長片は４つの内張り９６、９８、１００、１０２に分割するために十分な長さであるが、細長片９０はどんな長さでもありうる。細長片９０の典型的な幅は約２．５ｃｍであるが、細長片は、特殊なリフターまたは隆起した構造に対するカバレッジを与えるために、より広いか、またはより狭いことがある。細長片９０からの典型的な内張り９６は、他の内張り９８、１００、１０２と形状が同一である。図５が示すように、細長片９０は布を無駄にせずに複数の内張りに裁断され得る。細長片９０は、鋏型刃または打ち抜き型のような裁断工具で以って裁断されることがある。典型的な内張り９６は外縁９２および内縁９４を含む。外縁９２および内縁９４は同じ曲率を有する。内張り９６の内縁９４を画定する線がまた、内張り９８の外縁も画定する。さらに、外縁９２および内縁９４はディスク１６の周囲とほぼ同じ曲率を有する。典型的な内張り９６の面積は約６．４５ｃｍ２である。
【図面の簡単な説明】
【図１】磁気記録ディスクカートリッジの組立斜視図である。
【図２】磁気記録ディスケットのボトムケースの内面の平面図である。
【図３】図２の線３−３に沿った拡大断面図である。
【図４】磁気記録ディスケットのカバーケースの内面の平面図である。
【図５】内張りに裁断された、一片の布の平面図である。
【国際公開パンフレット】
2004508651.tif 000003
2004508651.tif 000004
2004508651.tif 000005
2004508651.tif 000006
2004508651.tif 000007
2004508651.tif 000008
2004508651.tif 000009
2004508651.tif 000010
2004508651.tif 000011
2004508651.tif 000012
2004508651.tif 000013
2004508651.tif 000014
2004508651.tif 000015
2004508651.tif 000016
2004508651.tif 000017
2004508651.tif 000018
【手続補正書】
【提出日】平成14年9月4日(2002.9.4)
【手続補正１】
【補正対象書類名】明細書
【補正対象項目名】特許請求の範囲
【補正方法】変更
【補正の内容】
【特許請求の範囲】
【請求項１】
内面（７０、４０）を各々有する、カバーケース（１２）およびボトムケース（１４）を含むハウジングと、
可撓性面（２４）を含み、前記ハウジング内に配置された磁気記録ディスク（１６）であって、情報を格納するために使用され、最も内側のデータ記憶トラック（４６）と最も外側のデータ記憶トラック（４８）とによって画定される部分を含む磁気記録ディスク（１６）と、
前記カバーケース（１２）の前記内面（７０）に取り付けられた第１布内張り（１８）と、
前記ボトムケース（１４）の前記内面（４０）に取り付けられた第２布内張り（２０）と、を備える磁気データ記憶カートリッジであって、
前記第１および第２布内張り（１８、２０）の少なくとも一方の面積は、前記磁気記録ディスク（１６）の前記可撓性面（２４）の面積の５０％よりも小さく、
前記磁気記録ディスク（１０）の前記可撓性面（２４）の面積の５０％よりも小さい面積内に延在する、前記第１および第２布内張り（１８、２０）の前記少なくとも１つが取り付けられた、前記ケース（１２、１４）の前記内面（７０、４０）に、情報を格納するために使用される部分の外側で前記ディスク（１６）と接触し、前記ディスク（１６）を前記それぞれのケース（１２、１４）の内面（７０、４０）から離すために、前記最も内側および最も外側のデータ記憶トラック（４６、４８）の外側の円周に配置された突出部（５０、５２、７８、８０）が設けられる、磁気データ記憶カートリッジ。
【請求項２】
前記第１および第２布内張り（１８、２０）の前記少なくとも１つの面積は、前記磁気記録ディスク（１６）の前記可撓性面（２４）の面積の２５％よりも小さい、請求項１に記載の磁気データ記憶カートリッジ。
【請求項３】
前記第１および第２布内張り（１８、２０）の前記少なくとも１つの面積は、前記磁気記録ディスク（１６）の前記可撓性面（２４）の面積の５〜１５％である、請求項１または２に記載の磁気データ記憶カートリッジ。
【請求項４】
前記第１および第２布内張り（１８、２０）の各々の面積は、前記磁気記録ディスク（１６）の前記可撓性面（２４）の面積の５０％よりも小さく、情報を格納するために使用される部分の外側で前記ディスク（１６）と接触し、前記ディスク（１６）を前記それぞれのケース（１２、１４）の内面（７０、４０）から離すために、前記カバーおよびボトムケース（１２、１４）の内面（７０、４０）には、前記最も内側および最も外側のデータ記憶トラック（４６、４８）の外側の円周に配置された突出部（５０、５２、７８、８０）が設けられる、請求項１〜３のいずれか一項に記載の磁気データ記憶カートリッジ。
【請求項５】
前記第１および第２布内張り（１８、２０）の各々の面積は、前記磁気記録ディスク（１６）の前記可撓性面（２４）の面積の２５％よりも小さい、請求項４に記載の磁気データ記憶カートリッジ。
【請求項６】
前記第１および第２布内張り（１８、２０）の各々の面積は、前記磁気記録ディスク（１６）の前記可撓性面（２４）の面積の５〜１５％である、請求項４または５に記載の磁気データ記憶カートリッジ。
【請求項７】
前記第１および第２布内張り（１８、２０）の前記少なくとも１つが円弧形状をしている、請求項１〜６のいずれか一項に記載の磁気データ記憶カートリッジ。
【請求項８】
前記第１および第２布内張り（１８、２０）の各々が円弧形状をしている、請求項１〜７のいずれか一項に記載の磁気データ記憶カートリッジ。
【請求項９】
前記第１および第２布内張り（１８、２０）の前記少なくとも１つが、前記最も内側のデータ記憶トラック（４６）および前記最も外側のデータ記憶トラック（４８）を横切って延在するように寸法を定められる、請求項１〜８のいずれか一項に記載の磁気データ記憶カートリッジ。
【請求項１０】
前記カバーおよびボトムケース（１２、１４）の前記内面（７０、４０）に、隆起した構造（７６、２２）を含むリフターが設けられ、前記一方の隆起した構造（７６）は前記他方の隆起した構造（２２）の真上にないように、前記隆起した構造（７６、２２）は前記内面（７０、４０）に配置され、前記第１および第２布内張り（１８、２０）が前記隆起した構造（７６、２２）を覆う、請求項１〜９のいずれか一項に記載の磁気データ記憶カートリッジ。
【請求項１１】
前記突出部（５０、５２、７８、７０）がバンプまたはリブである、請求項１〜１０のいずれか一項に記載の磁気データ記憶カートリッジ。
【国際調査報告】
2004508651.tif 000019
2004508651.tif 000020